【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
遊技の演出を行う遊技演出手段と、
内部抽選の結果に基づいて遊技の演出に関する指令信号となるコマンドを生成して出力する主制御装置と、
前記主制御装置から送られた前記コマンドに基づいて遊技の演出内容を決定し、その決定した遊技の演出内容にしたがって前記遊技演出手段を制御する副制御装置とを備え、
前記主制御装置は、前記内部抽選の結果に基づいて前記副制御装置に送るための前記コマンドを生成する際に所定の確率で当該内部抽選の結果と異なる内容の前記コマンドを生成するコマンド生成手段を有することを特徴とする遊技機。
【請求項２】
前記コマンド生成手段は、前記内部抽選の結果が所定の大当り及び外れのうちのいずれかである場合、前記内部抽選の結果と異なる内容の前記コマンドを生成するか否かについて前記確率での抽選を行い、当該抽選に当選したときに、前記内部抽選の結果と異なる内容の前記コマンドを生成し、当該抽選に当選しなかったときに、前記内部抽選の結果に対応する内容の前記コマンドを生成し、一方、前記内部抽選の結果が前記大当り及び外れ以外である場合、前記内部抽選の結果に対応する内容の前記コマンドを生成することを特徴とする請求項１記載の遊技機。
【請求項３】
前記コマンド生成手段が前記内部抽選の結果と異なる内容の前記コマンドを生成する確率は大きくとも１／２３２であることを特徴とする請求項１又は２記載の遊技機。
【請求項４】
前記主制御装置は前記内部抽選用の乱数カウンタを含む複数のカウンタを備えており、前記コマンド生成手段は前記内部抽選用の乱数カウンタを含む複数のカウンタを組合せて用いることにより、前記内部抽選の結果と異なる内容の前記コマンドを生成するか否かについて前記確率での抽選を行うことを特徴とする請求項１、２又は３記載の遊技機。
【請求項５】
前記コマンド生成手段は、前記内部抽選用の乱数カウンタを含む複数のカウンタの計数値がすべて特定の値を示した場合に前記内部抽選の結果と異なる内容のコマンドを生成することを特徴とする請求項４記載の遊技機。
【請求項６】
前記特定の値は０を含むことを特徴とする請求項５記載の遊技機。
【請求項７】
前記コマンド生成手段は、前記内部抽選用の乱数カウンタの他にリフレッシュレジスタとタイマ回路制御レジスタを用いることにより、前記内部抽選の結果と異なる内容の前記コマンドを生成するか否かについて前記確率での抽選を行うことを特徴とする請求項４、５又は６記載の遊技機。
【請求項８】
前記コマンド生成手段は、前記内部抽選用の乱数カウンタを含む前記主制御装置に備えられているすべての前記カウンタを用いることにより、前記内部抽選の結果と異なる内容の前記コマンドを生成するか否かについて前記確率での抽選を行うことを特徴とする請求項４、５、６又は７記載の遊技機。
【手続補正２】
【補正対象書類名】明細書
【補正対象項目名】０００７
【補正方法】変更
【補正の内容】
【０００７】
上記の目的を達成するための本発明に係る遊技機は、遊技の演出を行う遊技演出手段と、内部抽選の結果に基づいて遊技の演出に関する指令信号となるコマンドを生成して出力する主制御装置と、主制御装置から送られたコマンドに基づいて遊技の演出内容を決定し、その決定した遊技の演出内容にしたがって遊技演出手段を制御する副制御装置とを備え、主制御装置は、内部抽選の結果に基づいて副制御装置に送るためのコマンドを生成する際に所定の確率で当該内部抽選の結果と異なる内容のコマンドを生成するコマンド生成手段を有する。
主制御装置は、内部抽選の結果に基づいて演出用のコマンドを生成する際に所定の確率で当該内部抽選の結果と異なる内容のコマンドを生成して、副制御装置に出力する。このため、副制御装置により制御される遊技の演出の内容が、内部抽選の結果と異なることがある。本発明に係る遊技機では、このようなことが起こり得ることを当然の前提としているのである。したがって、かかる遊技機を普及させることにより、副制御装置によって制御される遊技の演出はあくまで遊技を支援するためのものであって、たとえプレミアム演出が行われたとしてもそのことが必ずしも大当りを保証するものではないということを、遊技者に広く知らしめることができる。これにより、例えば、主制御装置が大当りではない旨のコマンドを副制御装置に送信したにもかかわらず、副制御装置がノイズの影響等によりコマンドを誤って認識し、大当りの演出を実行させたとしても、その大当りの演出が誤って発生したと遊技者に認識されることがなくなる。また、ノイズの影響等を全く受けないような遊技機を開発する必要がなくなるので、遊技機の開発期間の短縮とその開発費用の低減を図ることができる。また、内部抽選の結果と異なる内容のコマンドを生成するかどうかは主制御装置のコマンド生成手段が抽選で決定することにより、たとえ副制御装置が故意に交換されたとしても、副制御装置によって不正な演出の制御が行われるおそれはない。
【手続補正３】
【補正対象書類名】明細書
【補正対象項目名】０００８
【補正方法】変更
【補正の内容】
【０００８】
また、コマンド生成手段は、内部抽選の結果が所定の大当り及び外れのうちのいずれかである場合、内部抽選の結果と異なる内容の前記コマンドを生成するか否かについて前記確率での抽選を行い、当該抽選に当選したときに、内部抽選の結果と異なる内容のコマンドを生成し、当該抽選に当選しなかったときに、内部抽選の結果に対応する内容のコマンドを生成し、一方、内部抽選の結果が大当り及び外れ以外である場合、内部抽選の結果に対応する内容のコマンドを生成することが望ましい。
上記構成によれば、たとえばプレミアム演出が行われたとしても、そのことが必ずしも大当りを保証するものではなく、外れの場合もありうる。また、内部抽選の結果が大当り及び外れ以外である場合は、内部抽選の結果に対応するコマンドを生成して副制御装置に送ることができる。
【手続補正４】
【補正対象書類名】明細書
【補正対象項目名】０００９
【補正方法】変更
【補正の内容】
【０００９】
また、コマンド生成手段が内部抽選の結果と異なる内容のコマンドを生成する確率は大きくとも１／２３２であることが望ましい。
内部抽選の結果と異なる内容のコマンドを生成する確率を大きくとも１／２３２としたことにより、副制御装置が内部抽選の結果と異なる内容の遊技の演出を行うことはほとんどなく、遊技者は、副制御装置が行う大当り等の演出の内容を、ほぼ１００％信頼することができる。
また、主制御装置は内部抽選用の乱数カウンタを含む複数のカウンタを備えており、コマンド生成手段は内部抽選用の乱数カウンタを含む複数のカウンタを組合せて用いることにより、内部抽選の結果と異なる内容のコマンドを生成するか否かについて前記確率での抽選を行うことが望ましい。
コマンド生成手段が、内部抽選用の乱数カウンタを含む複数のカウンタを使用して、内部抽選の結果と異なる内容のコマンドを生成するか否かについて前記確率での抽選を行うことにより、内部抽選の結果と異なる内容のコマンドを生成する確率を、内部抽選用の乱数カウンタだけを用いて抽選を行う場合に比べて小さくすることができる。
また、コマンド生成手段は、内部抽選用の乱数カウンタを含む複数のカウンタの計数値がすべて特定の値を示した場合に内部抽選の結果と異なる内容のコマンドを生成することが望ましい。
コマンド生成手段は、内部抽選用の乱数カウンタと他のカウンタの計数値がすべて特定の値を示した場合に、内部抽選の結果と異なる内容のコマンドを生成することにより、内部抽選の結果と異なる内容のコマンドを生成する確率を可能な限り小さくすることができる。
また、特定の値は０を含むことが望ましい。
例えば、特定の値を０とすることにより、かかる特定の値はどのカウンタも持ち得る計数値であるため、内部抽選の結果と異なる内容のコマンドを生成する確率を可能な限り小さくすることができる。
また、コマンド生成手段は、内部抽選用の乱数カウンタの他にリフレッシュレジスタとタイマ回路制御レジスタを用いることにより、内部抽選の結果と異なる内容のコマンドを生成するか否かについて前記確率での抽選を行うことが望ましい。
コマンド生成手段が内部抽選用の乱数カウンタの他にリフレッシュレジスタとタイマ回路制御レジスタを使用して、内部抽選の結果と異なる内容のコマンドを生成するか否かについて前記確率での抽選を行うことにより、内部抽選の結果と異なる内容のコマンドを生成する確率を、内部抽選用の乱数カウンタだけを用いて抽選を行う場合に比べて小さくすることができる。
更に、コマンド生成手段は、内部抽選用の乱数カウンタを含み主制御装置に備えられているすべてのカウンタを用いることにより、内部抽選の結果と異なる内容のコマンドを生成するか否かについて前記確率での抽選を行うことが望ましい。
コマンド生成手段が、内部抽選用の乱数カウンタを含み主制御装置に備えられているすべてのカウンタを使用して、内部抽選の結果と異なる内容のコマンドを生成するか否かについて前記確率での抽選を行うことにより、内部抽選の結果と異なる内容のコマンドを生成する確率を、内部抽選用の乱数カウンタだけを用いて抽選を行う場合に比べて可能な限り小さくすることができる。
【手続補正５】
【補正対象書類名】明細書
【補正対象項目名】００１０
【補正方法】変更
【補正の内容】
【００１０】
本発明によれば、主制御装置が、内部抽選の結果に基づいて副制御装置に送るためのコマンドを生成する際に所定の確率で当該内部抽選の結果と異なる内容のコマンドを生成することにより、大当り等の当選を表す演出が行われたとしてもそのことがその当選を保証するものではないことを明確にすることができ、この結果、開発期間の短縮と開発費用の低減を図ることができる。
【手続補正６】
【補正対象書類名】明細書
【補正対象項目名】００１１
【補正方法】削除
【補正の内容】